【手続補正書】
【提出日】平成18年7月11日(2006.7.11)
【手続補正１】
【補正対象書類名】特許請求の範囲
【補正対象項目名】請求項１
【補正方法】変更
【補正の内容】
【請求項１】
過去に販売された債券の条件のデータを含む情報を保持する債券情報データベースに保持された過去に販売された債券の情報を提供するインターネットサイトを用いて、当該インターネットサイトにアクセスしてきた投資家の端末装置に対して過去に販売された債券を一覧表示する債券選択画面を表示させ、前記債券選択画面に一覧表示された過去に販売された債券の中から前記投資家により選択された債券の前記債券情報データベースに保持された条件のデータを含む情報と当該情報に対応付けされた次回の債券販売の通知サービスの登録ボタンの表示画面を前記投資家の端末装置に表示させる債券情報提供手段と、
前記債券の条件のデータを含む情報に対応付けて表示された前記登録ボタンを操作することにより当該登録ボタンに対応する前記情報に含まれる前記債券の条件のデータを送信する前記投資家の端末装置から送信された前記投資家が望む債券の条件のデータを、インターネットを介して受信する受信手段と、
前記受信手段によって受信された前記投資家の端末装置からの前記投資家が望む債券の条件のデータを前記投資家に対応付けて記憶する第一記憶手段と、
前記投資家の債券の購入実績を示すデータを保持する投資家データベースと、
前記投資家に対応付けて前記第一記憶手段に記憶された前記投資家が望む債券の条件のデータを、前記投資家の債券の購入実績を示すデータを保持する前記投資家データベースに保持された前記投資家の購入実績に基づいて重み付けを行い、前記重み付けを加味した債券の条件のデータを算出する条件算出手段と、
前記条件算出手段によって算出された前記重み付けを加味した債券の条件のデータを記憶する第二記憶手段と、
前記第二記憶手段に記憶された前記重み付けを加味した債券の条件のデータを読み出して出力する出力手段と、
新規販売された新発債券又は既発債券の条件のデータが入力される入力手段と、
前記入力手段に入力された前記新発債券又は既発債券の条件のデータを記憶する第三記憶手段と、
前記投資家に対応付けて前記第一記憶手段に記憶された前記投資家が望む債券の条件のデータと前記第三記憶手段に記憶された前記新発債券又は既発債券の条件のデータとが合致もしくは略合致するか否かを判定する判定手段と、
前記投資家に対応付けて前記第一記憶手段に記憶された前記投資家が望む債券の条件のデータと前記第三記憶手段に記憶された前記新発債券又は既発債券の条件のデータとが合致もしくは略合致すると前記判定手段で判定された場合に、合致もしくは略合致する前記債券の条件のデータを送信した前記投資家の端末装置に対し、当該債券が販売された旨のメッセージを送信する送信手段と
を有する
ことを特徴とする希望債券の検出システム。
【手続補正２】
【補正対象書類名】特許請求の範囲
【補正対象項目名】請求項４
【補正方法】変更
【補正の内容】
【請求項４】
サーバが、過去に販売された債券の条件のデータを含む情報を保持する債券情報データベースに保持された過去に販売された債券の情報を提供するインターネットサイトを用いて、当該インターネットサイトにアクセスしてきた投資家の端末装置に対して過去に販売された債券を一覧表示する債券選択画面を表示させ、前記債券選択画面に一覧表示された過去に販売された債券の中から前記投資家により選択された債券の条件のデータを含む情報と当該情報に対応付けされた次回の債券販売の通知サービスの登録ボタンの表示画面を前記投資家の端末装置に表示させる債券情報提供工程と、
前記サーバが、前記債券の条件のデータを含む情報に対応付けて表示された前記登録ボタンを操作することにより当該登録ボタンに対応する前記情報に含まれる前記債券の条件のデータを送信する前記投資家の端末装置から送信された前記投資家が望む債券の条件のデータを、インターネットを介して受信する受信工程と、
前記サーバが、前記受信工程で受信された前記投資家の端末装置からの前記投資家が望む債券の条件のデータを前記投資家に対応付けて第一記憶手段に記憶させる第一記憶工程と、
前記サーバが、前記投資家に対応付けて前記第一記憶手段に記憶された前記投資家が望む債券の条件のデータを、前記投資家の債券の購入実績を示すデータを保持する前記投資家データベースに保持された前記投資家の購入実績に基づいて重み付けを行い、前記重み付けを加味した債券の条件のデータを算出する算出工程と、
前記サーバが、前記算出工程で算出された前記重み付けを加味した債券の条件のデータを第二記憶手段に記憶させる第二記憶工程と、
前記サーバが、前記第二記憶手段に記憶された前記重み付けを加味した債券の条件のデータを読み出して出力する出力工程と、
前記サーバが、新規販売された新発債券又は既発債券の条件のデータを入力される入力工程と、
前記サーバが、前記入力工程で入力された前記新発債券又は既発債券の条件のデータを第三記憶手段に記憶させる第三記憶工程と、
前記サーバが、前記投資家に対応付けて前記第一記憶手段に記憶された前記投資家が望む債券の条件のデータと前記第三記憶手段に記憶された前記新発債券又は既発債券の条件のデータとが合致もしくは略合致するか否かを判定する判定工程と、
前記サーバが、前記投資家に対応付けて前記第一記憶手段に記憶された前記投資家が望む債券の条件のデータと前記第三記憶手段に記憶された前記新発債券又は既発債券の条件のデータとが合致もしくは略合致すると前記判定工程で判定された場合に、合致もしくは略合致する前記債券の条件のデータを送信した前記投資家の端末装置に対し、当該債券が販売された旨のメッセージを送信する送信工程と
を有する
ことを特徴とする希望債券の検出方法。
【手続補正３】
【補正対象書類名】明細書
【補正対象項目名】０００５
【補正方法】変更
【補正の内容】
【０００５】
上記問題を解決するため、本発明に係る希望債券の検出システムは、過去に販売された債券の条件のデータを含む情報を保持する債券情報データベースに保持された過去に販売された債券の情報を提供するインターネットサイトを用いて、当該インターネットサイトにアクセスしてきた投資家の端末装置に対して過去に販売された債券を一覧表示する債券選択画面を表示させ、前記債券選択画面に一覧表示された過去に販売された債券の中から前記投資家により選択された債券の前記債券情報データベースに保持された条件のデータを含む情報と当該情報に対応付けされた次回の債券販売の通知サービスの登録ボタンの表示画面を前記投資家の端末装置に表示させる債券情報提供手段と、前記債券の条件のデータを含む情報に対応付けて表示された前記登録ボタンを操作することにより当該登録ボタンに対応する前記情報に含まれる前記債券の条件のデータを送信する前記投資家の端末装置から送信された前記投資家が望む債券の条件のデータを、インターネットを介して受信する受信手段と、前記受信手段によって受信された前記投資家の端末装置からの前記投資家が望む債券の条件のデータを前記投資家に対応付けて記憶する第一記憶手段と、前記投資家の債券の購入実績を示すデータを保持する投資家データベースと、前記投資家に対応付けて前記第一記憶手段に記憶された前記投資家が望む債券の条件のデータを、前記投資家の債券の購入実績を示すデータを保持する前記投資家データベースに保持された前記投資家の購入実績に基づいて重み付けを行い、前記重み付けを加味した債券の条件のデータを算出する条件算出手段と、前記条件算出手段によって算出された前記重み付けを加味した債券の条件のデータを記憶する第二記憶手段と、前記第二記憶手段に記憶された前記重み付けを加味した債券の条件のデータを読み出して出力する出力手段と、新規販売された新発債券又は既発債券の条件のデータが入力される入力手段と、前記入力手段に入力された前記新発債券又は既発債券の条件のデータを記憶する第三記憶手段と、前記投資家に対応付けて前記第一記憶手段に記憶された前記投資家が望む債券の条件のデータと前記第三記憶手段に記憶された前記新発債券又は既発債券の条件のデータとが合致もしくは略合致するか否かを判定する判定手段と、前記投資家に対応付けて前記第一記憶手段に記憶された前記投資家が望む債券の条件のデータと前記第三記憶手段に記憶された前記新発債券又は既発債券の条件のデータとが合致もしくは略合致すると前記判定手段で判定された場合に、合致もしくは略合致する前記債券の条件のデータを送信した前記投資家の端末装置に対し、当該債券が販売された旨のメッセージを送信する送信手段とを有することを特徴とする。
【手続補正４】
【補正対象書類名】明細書
【補正対象項目名】０００９
【補正方法】変更
【補正の内容】
【０００９】
本発明に係る希望債券の検出方法は、サーバが、過去に販売された債券の条件のデータを含む情報を保持する債券情報データベースに保持された過去に販売された債券の情報を提供するインターネットサイトを用いて、当該インターネットサイトにアクセスしてきた投資家の端末装置に対して過去に販売された債券を一覧表示する債券選択画面を表示させ、前記債券選択画面に一覧表示された過去に販売された債券の中から前記投資家により選択された債券の条件のデータを含む情報と当該情報に対応付けされた次回の債券販売の通知サービスの登録ボタンの表示画面を前記投資家の端末装置に表示させる債券情報提供工程と、前記サーバが、前記債券の条件のデータを含む情報に対応付けて表示された前記登録ボタンを操作することにより当該登録ボタンに対応する前記情報に含まれる前記債券の条件のデータを送信する前記投資家の端末装置から送信された前記投資家が望む債券の条件のデータを、インターネットを介して受信する受信工程と、前記サーバが、前記受信工程で受信された前記投資家の端末装置からの前記投資家が望む債券の条件のデータを前記投資家に対応付けて第一記憶手段に記憶させる第一記憶工程と、前記サーバが、前記投資家に対応付けて前記第一記憶手段に記憶された前記投資家が望む債券の条件のデータを、前記投資家の債券の購入実績を示すデータを保持する前記投資家データベースに保持された前記投資家の購入実績に基づいて重み付けを行い、前記重み付けを加味した債券の条件のデータを算出する算出工程と、前記サーバが、前記算出工程で算出された前記重み付けを加味した債券の条件のデータを第二記憶手段に記憶させる第二記憶工程と、前記サーバが、前記第二記憶手段に記憶された前記重み付けを加味した債券の条件のデータを読み出して出力する出力工程と、前記サーバが、新規販売された新発債券又は既発債券の条件のデータを入力される入力工程と、前記サーバが、前記入力工程で入力された前記新発債券又は既発債券の条件のデータを第三記憶手段に記憶させる第三記憶工程と、前記サーバが、前記投資家に対応付けて前記第一記憶手段に記憶された前記投資家が望む債券の条件のデータと前記第三記憶手段に記憶された前記新発債券又は既発債券の条件のデータとが合致もしくは略合致するか否かを判定する判定工程と、前記サーバが、前記投資家に対応付けて前記第一記憶手段に記憶された前記投資家が望む債券の条件のデータと前記第三記憶手段に記憶された前記新発債券又は既発債券の条件のデータとが合致もしくは略合致すると前記判定工程で判定された場合に、合致もしくは略合致する前記債券の条件のデータを送信した前記投資家の端末装置に対し、当該債券が販売された旨のメッセージを送信する送信工程とを有することを特徴とする。
【手続補正５】
【補正対象書類名】明細書
【補正対象項目名】００１０
【補正方法】変更
【補正の内容】
【００１０】
以上説明したように、本発明に係る希望債券の検出システム及び検出方法は、投資家の端末装置からインターネットを介して受け取った過去に販売された債券の中から各投資家がそれぞれ希望する不特定銘柄の債券の条件を当該投資家の債券購入実績に基づいて重み付けするものであり、投資家が登録した希望する条件の債券が販売されたときに当該投資家に通知するサービスと引換えに一般の投資家が希望する債券の好適な条件を検出することができる。